(57)【要約】【課題】手軽に施工することができるとともに、良好な遮熱効果を得ることができる遮熱シートを提供する。【解決手段】外部からガラス２２に入射した光（Ｆ１）は、ガラス２２や接着剤１６による反射を受けつつ、反射膜１４に入射し、ここで反射される（矢印Ｆ６）。このため、外部からの太陽光（特に赤外光）に起因する熱が良好に遮断されるようになる。このとき、反射膜１４が形成された基材がメッシュシート１２であるため、光の反射方向は必ずしも一定方向とは限らない。従って、外部から窓２０を見ても、ガラス２２がいわゆる鏡面のように見えるわけではない。一方、メッシュシート１２であるために、光の一部が透過するようになる（矢印Ｆ７）。このため、室内からは外部を見ることができる。【選択図】図１
2008214851.tif 000002
【特許請求の範囲】
【請求項１】
窓に貼り付けて太陽熱を遮断する遮熱シートであって、
メッシュシートを基材とし、
このメッシュシートの一面に反射膜が形成されており、
この反射膜上に、接着剤を介して離型紙が貼り合せられており、
前記離型紙を剥がすことで、窓に貼り付けられることを特徴とする遮熱シート。
【発明の詳細な説明】
【技術分野】
【０００１】
本発明は、例えば建物のガラス窓において太陽熱を遮断する遮熱用のシートに関するものである。
【背景技術】
【０００２】
近年、地球温暖化が議論されており、室内の冷房温度を高めに設定して冷房に要する電力を低減しようという試みが実施されている。室内温度の上昇を抑制する一つの方法は、ガラス窓を介して室内に侵入する太陽光を遮ることであり、遮光用のカーテンやブラインドが用いられている。例えば、下記特許文献１には、二枚の布地の間に、金属薄膜が形成された合成樹脂フィルムを挟着したことを特徴とする遮光用カーテンが開示されている。
【０００３】
また、室内と室外の断熱を図ることにより遮熱を行うものとして二重サッシ構造がある。例えば、下記特許文献２には、窓ガラスの周縁部にプラスチックスポンジの枠を両面粘着テープで貼着け、この枠の上にプラスチック板を両面粘着テープで貼着けることにより空気層を形成した窓用簡易遮熱構造が開示されている。
【０００４】
更に、下記特許文献３には、ポリエステルフィルムの少なくとも片面に熱線反射層を設け、その上に保護層を設けた高透明熱線反射フィルムが開示されている。
【特許文献１】特開平９−２５２９３１号公報
【特許文献２】実開平６−４５０６０号公報
【特許文献３】特開２０００−１１７９１９公報
【発明の開示】
【発明が解決しようとする課題】
【０００５】
しかしながら、上述した特許文献１や特許文献２の背景技術は、設置のために相当の空間を必要とする，設置に手数が掛かるなどの不都合がある。特に、窓の大きさに対応させるためのサイズ変更を簡便に行うことが困難である。また、特許文献３の背景技術は、フィルムとなっているため、窓ガラスに貼り付ける際にフィルム内に空気が進入することがあり、施工に熟練を要する。
【０００６】
本発明は、かかる点に鑑みてなされたもので、手軽に施工することができるとともに、良好な遮熱効果を得ることができる遮熱シートを提供することを、その目的とする。
【課題を解決するための手段】
【０００７】
前記目的を達成するため、本発明は、窓に貼り付けて太陽熱を遮断する遮熱シートであって、メッシュシートを基材とし、このメッシュシートの一面に反射膜が形成されており、この反射膜上に、接着剤を介して離型紙が貼り合せられており、前記離型紙を剥がすことで、窓に貼り付けられることを特徴とする。
【０００８】
主要な形態の一つによれば、前記反射膜は、ステンレスによりスパッタリングによって形成される。他の形態の一つは、前記スパッタリングを、太陽光の入射方向にターゲットを配置して行うことを特徴とする。本発明の前記及び他の目的，特徴，利点は、以下の詳細な説明及び添付図面から明瞭になろう。
【発明の効果】
【０００９】
本発明によれば、メッシュシートを基材として使用したので、良好な遮熱効果を得ることができるのみならず、設置のための空間を必要とせず、施工の手間もかからない。
【発明を実施するための最良の形態】
【００１０】
以下、本発明を実施するための最良の形態を、実施例に基づいて詳細に説明する。
【実施例１】
【００１１】
最初に、図１を参照しながら、本発明の実施例１の遮熱シート１０の構成を説明する。図１(A)は実施例１の積層構造を示す主要断面図である。同図に示すように、本実施例では、基材としてメッシュシート１２を使用している。メッシュシート１２の主面には、反射膜１４が形成される。なお、基材がメッシュであるため、膜といっても連続した平面状のものではないが、便宜上「膜」という。図１(B)には、メッシュシート１２と反射膜１４の積層の様子が拡大して示されている。この反射膜１４上には接着剤１６が塗布されており、更にその表面に離型紙１８が付されている。離型紙１８には、切断時の便宜のためにマス目が印刷されている（図示せず）。
【００１２】
メッシュシート１２としては、織物，例えばポリエステル・モノフィラメント・メッシュなどが使用される。反射膜１４としては、例えばステンレス膜が使用される。メッシュシート１２がポリエステルの場合、高温に耐えることができないので、スパッタリングなどの低温で形成できる方法でステンレス膜を形成する。接着剤１６としては、公知の各種のものを使用してよいが、窓に施工した遮熱シート１０を剥がしたときにガラスに残らないようなものが好適である。例えば、アクリル系のものを使用するとよい。
【００１３】
次に、図１(C)を参照しながら、遮熱シート１０の施工について説明する。施工の際には、まず、窓２０のガラス２２の大きさに対応するように、遮熱シート１０を切断する。上述した離型紙１８のマス目を切断作業に利用することができる。次に、ガラス２２のホコリや汚れを予め落としておくとともに、十分乾燥させる。これは、接着剤１６による接着を十分に行うためである。
【００１４】
次に、図１(C)に示すように、離型紙１８を一部剥がして露出した接着剤１６の面をガラス２２に接合して遮熱シート１０の貼る位置を決め、更に、順次離型紙１８を剥がして遮熱シート１０をガラス２２に貼っていく。すなわち、図示のように、遮熱シート１０の上端を位置決めし、離型紙１８を少しずつ剥がし、遮熱シート１０の自重で徐々に貼り合わせるようにすればよい。このとき、仮に遮熱シート１０とガラス２２との間に空気が入ったとしても、基材がメッシュシート１２であるため、空気は網目から容易に追い出すことができ、格別の熟練を必要とすることなく簡便にガラス面に貼り付けることができる。
【００１５】
次に、図１(D)を参照しながら、本実施例の作用を説明する。遮熱シート１０を窓２０のガラス２２に貼り付けた状態の断面を示すと、図１(D)のようになる。ここで、外部からガラス２２に入射した光は（矢印Ｆ１）、一部がガラス２２で反射され（矢印Ｆ２）、残りはガラス２２内に入射する（矢印Ｆ３）。更に光は接着剤１６に入射するが、ここで一部が反射され（矢印Ｆ４）、残りが反射膜１４に入射する（矢印Ｆ５）。反射膜１４に入射した光は、ここで反射される（矢印Ｆ６）。このため、外部からの太陽光（特に赤外光）に起因する熱が遮断されるようになる。
【００１６】
このとき、反射膜１４が形成された基材がメッシュシート１２であるため、光の反射方向は必ずしも一定方向とは限らない。従って、外部から窓２０を見ても、ガラス２２がいわゆる鏡面のように見えるわけではない。一方、メッシュシート１２であるために、光の一部が透過するようになる（矢印Ｆ７）。このため、室内からは、外部を見ることができる。すなわち、本実施例によれば、外部から窓２０に入射した光は、一部が遮熱シート１０で反射され、一部は室内に透過する。他方、室内の光も遮熱シート１０を透過して窓２０の外に漏れるようになる。しかし、矢印Ｆ６で示した外部からの光の反射と混ざるようになり、結果的に外部から室内を鮮明に見ることはできない。
【００１７】
図２には、本実施例の遮熱シート１０による光の反射及び透過の測定例が示されている。図中、点線はガラス２２のみの場合、実線はガラス２２に本実施例の遮熱シート１０を施工した場合をそれぞれ示す。また、横軸は光の波長（nm），縦軸は割合（％）を示す。まず、図２(A)の反射率のグラフから見ると、図示する光波長のほぼ全体にわたって、本実施例のほうが高い反射率となっている。また、図２(B)の透過率のグラフを見ると、図示する光波長のほぼ全体にわたって、本実施例のほうが低い透過率となっている。
【００１８】
次に、図３〜図５を参照しながら、室内における遮熱効果の試験例を説明する。図３には、試験装置の概要が示されており、同図(A)は試験装置を上面からみた場合であり、同図(B)は試験装置を側面からみた場合である。これらの図において、合板製９００mm四方の立方体の部屋５０の正面にガラス５２をはめ込むとともに、室内略中央に黒色のスチレンボード５４をやや傾けて配置する。次に、ガラス５２の面から外側を見てやや上方右側から、５００Ｗの赤外線ランプ５６により赤外線を照射する。一方、部屋５０内には、床面（図中のＡ），スチレンボード５４の手前（図中のＢ），天井（図中のＣ），スチレンボード５４の後ろ側（図中のＤ）にそれぞれ温度計を設置し、温度変化を測定する。また、サーモグラフィー５８を用意し、ガラス５２をはずしたときの温度変化を見た。
【００１９】
図４には、前記温度計による測定結果が示されている。同図(A)はガラス５２のみの場合であり、同図(B)はガラス５２の室内側に本実施例の遮熱シート１０を貼り付けた場合である。なお、横軸は赤外線照射開始からの経過時間（分），縦軸は温度（℃）である。同図に示すように、床面，スチレンボード５４の手前，天井のいずれにおいても、本実施例のほうが低い値となっている。特に、赤外線が直接当たるスチレンボード５４の手前においては１．８℃前後も温度が低くなっており、本実施例の遮熱効果の有効性が確認された。
【００２０】
図５には、前記サーモグラフィー５８による観察結果が示されている。同図(A1)〜(A4)はガラスのみの場合であり、同図(B1)〜(B4)は本実施例の場合である。ガラス５２をはずしてからの時間の経過に応じて、部屋５０内の温度は低下するが、低下の程度は本実施例のほうが顕著であることがわかる。例えば、３０秒経過後を比較すると、ガラスのみの場合は（同図(A4)参照）、スチレンボード５４上に３０℃以上の部分が存在するが、本実施例の場合は（同図(B4)参照）、いずれの部分も３０℃以下となっている。
【００２１】
このように、本実施例によれば、次のような効果が得られる。
(1)窓ガラスに貼り付けるのみで、良好な遮熱効果を得ることができる。
(2)シート貼り付け時に空気が入っても簡単に抜くことができ、また、窓の内側（部屋側）からガラス面に貼り付ければよく、手軽に施工することができる。
(3)ステンレスやメッシュ内空気による断熱効果があり、特に冬季においては結露防止の効果が得られる。
(4)防犯用のフィルムとしての効果も期待できる。
【００２２】
なお、本発明は、上述した実施例に限定されるものではなく、本発明の要旨を逸脱しない範囲内において種々変更を加え得ることができる。例えば、以下のものも含まれる。
(1)前記実施例で示した材料は一例であり、同様の作用を奏するものであれば、各種の公知のものを使用してよい。例えば、基材となるメッシュシート１２は、透明でもよいし着色してもよいが、黒色に着色したものを使用すると、日中は太陽光が反射されるので外部から室内が見えにくく、夜間は室内の光がメッシュシート１２で吸収されて同様に外部から室内が見えにくくなるという効果が得られる。
(2)太陽光は、多くの場合窓に斜め方向から入射する。そこで、メッシュシート１２に反射膜１４を形成する場合、太陽光が入射する方向にスパッタリングのターゲットを配置するようにする方法がある。また、いずれの方向から太陽光が入射しても良好な遮熱効果が得られるように、多数の方向から反射膜のスパッタリング形成を行うと効果的である。
【産業上の利用可能性】
【００２３】
本発明によれば、室内を太陽光から良好に遮熱することができるので、建物や自動車の窓などに好適である。
【図面の簡単な説明】
【００２４】
【図１】本発明の一実施例を示す図である。(A)及び(B)は積層構造を示す図であり、(C)は施工方法の一例を示す図であり、(D)は作用を示す図である。
【図２】前記実施例の遮熱シートの光反射及び光透過の測定例を示すグラフである。(A)は反射率，(B)は透過率を示す。
【図３】前記実施例における室内における遮熱効果の試験装置を示す図である。(A)は平面，(B)は側面を示す。
【図４】前記試験装置による各部の温度の測定結果を示すグラフである。(A)はガラスのみ，(B)は本実施例の場合を示す。
【図５】前記試験装置におけるサーモグラフの測定結果を示す図である。(A1)〜(A4)はガラスのみ，(B1)〜(B4)は本実施例の場合を示す。
【符号の説明】
【００２５】
１０：遮熱シート
１２：メッシュシート
１４：反射膜
１６：接着剤
１８：離型紙
２０：窓
２２：ガラス
５０：部屋
５２：ガラス
５４：スチレンボード
５６：赤外線ランプ
５８：サーモグラフィー
【図１】
2008214851.tif 000003
【図２】
2008214851.tif 000004
【図３】
2008214851.tif 000005
【図４】
2008214851.tif 000006
【図５】
2008214851.tif 000007